(57)【要約】【課題】  従来のシャンプーやリンスや洗剤などや、その他のもののはいった容器やその他のいれるための物は、そのものの中身の目的や用途の説明をあらわした、字というものが特別にもりあげてうきだたせたような字や、きざみこまれてへこました字などがつくられ、つけられていませんでした。【解決手段】  上記のような中身の目的や用途の説明がない容器に、中身の目的や用途などの説明をした、さまざまなおおきさや形の、うきだたせたような字や刻み込まれてへこました字などをつくり、さまざまな所に、つけることができるようにすることや、方法としてもできるようにする。【選択図】  図  １
2006001645.tif 000002
【特許請求の範囲】
【請求項１】
シャンプーの容器に、シャンプーという字をさまざまな、おおきさや形の字を、さまざまな容器やその他のはいった物の本体に、字の形のとおりうきだしたような字をつけたり、字をきざむように字の形のとおりへこましたものををつけたりしたさまざまなおおきさや形の容器やさまざまな大きさや形のシャンプーがはいった物を、利用できるようにした。又、方法としても利用できるようにする。
【請求項２】
リンスの容器に、リンスという字をさまざまな、おおきさや形の字を、さまざまな容器やその他のはいった物の本体に、字の形のとおりうきだしたような字をつけたり、字をきざむように字の形のとおりへこましたものををつけたりしたさまざまな容器やさまざまなおおきさや形のリンスのはいった物を、利用できるようにした。又、方法としても、利用できるようにする。
【請求項３】
ペット用などの、家庭用で使用されるさまざまなおおきさや形の容器や、その他の利用されるさまざまなおおきさや形の物についても、用途や目的に応じたさまざまな字を、さまざまなおおきさや形の字を、容器の本体に、字の形のとおりうきだしたような字をつけたり、字をきざむように字の形のとおりへこましたものを、つけたりしたさまざまなおおきさや形の容器やさまざまなおおきさや形の利用されるためのペット用の物を、利用できるようにした。又、方法としても利用できるようにする。
【請求項４】
洗剤などの、家庭用で使用されるさまざまなおおきさや形の容器や、その他で利用されるさまざまなおおきさや形の物についても、用途や目的に応じたさまざまな字を、さまざまなおおきさや形の字を、容器の本体に、字の形のとおりうきだしたような字をつけたり、字をきざむように字の形のとおりへこましたものを、つけたりしたさまざなおおきさや形の容器やさまざまなおおきさや形の利用する物につけることを、できるようにした。又、方法としても利用できるようにする。
【請求項５】
上記や下記やその他の日用品やその他のものなどさまざまな目的や用途の容器やその他のはいった物について、上記のような、用途や目的に応じたさまざまな字を、さまざまなおおきさや形の字を、さまざまおおきさや形の容器やその他のはいったさまざまなおおきさや形の物の本体に、字の形のとおりうきだしたような字をつけたり、字をきざむように字の形のとおりへこましたものををつけたりしたさまざまなおおきさや形の容器やその他のさまざまな大きさや形のその他のはいった物を、利用できるようにする。又、方法としても利用できるようにする。
【請求項６】
外国語についての字は必要におうじてできるようにして、外国語においての本発明は、目的や用途などにおうじて使用する外国語となるものとなります。又、方法としても、利用できるようにする。
【請求項７】
家庭用の衛生品などに使用する容器や、薬局などで販売されている大衆薬品や薬品に使用される、さまざまな容器やその他のはいった物についも、中身についての説明の字を、さまざまなおおきさや形の字を、容器や使用するなにかがはいった物に、字の形のとおりうきだしたような字をつけたり、字をきざむように字の形のとおりへこましたものをつけたりした容器を、利用できるようにした。又、方法としても、利用できるようにする。
【請求項８】
食品に利用されるさまざまな容器やその他の入れ物についても、中身の説明についての字を、さまざまなおおきさや形の字を、容器やその他のはいった物に、字の形のとおりうきだしたような字をつげたり、字をきざむように字の形のとおりへこましたものをつけたりした容器やなにかがはいった物を、利用できるようにする。又、方法としても、利用できるようにする。
【請求項９】
美容用や化粧品のもののさまざまな容器やその他の入れ物についても、用途や目的におうじた字を、さまざまなおおきさや形の字を、さまざまな容器や入れ物に、字をうきだたせるようにした字をつけたり、字をきざむように字の形のとおりへこましたものをつけたりした容器やその他の容器を利用できるようにする。又、方法としても、利用できるようにする。
【請求項１０】
液体肥料に利用されるさまざまな容器についても、用途や目的におうじた中身の説明するための字というものを、利用されるさまざまな容器やその他の入れ物に、字をうきだたせたような字をつけたり、字をきざむようにへこましたものをつくり、つけられるように、上記のように利用できるようにする。又、方法としても、利用できるようにする。
【請求項１１】
歯磨き粉のようなものや口の中の衛生のようなものについて利用されている、さまざま容器やその他の物についても、用途や目的におうじた、中身の説明の字を、利用されるさまざまな容器やその他の物について、字をうきだたせるように字をつけたものや、字をきざむようにへこました字を、つくりつけられるようにする。又、方法としても利用できるようにする。
【発明の詳細な説明】
【技術分野】
【０００１】  本発明は、シャンプーやリンスや洗剤などや、その他のもので、液体状や粉末状やその他のもので、食品や薬品や衛生品や大衆薬品や日用品やその他などに利用されている容器に関する。
【背景技術】
【０００２】  従来のシャンプーやリンスなどの容器は、商品としてそのものの名称やデザインを意味した、字やデザインが容器にかいていますが、そのものの、中身を説明をする特別なもりあがった字がみやすくうきでたようについたものや、字がきざんであるようなものは、ありませんでした。そして、洗剤やその他のものでもありませんでした。
【発明が解決しようとしている課題】
【０００３】  以上に述べた従来の容器は、容器の本体に中身がどういったものかわかるように、特別に字をつけられるようにすることがおこなわれなかった。
【０００４】  本発明は、このような従来の構成がゆうしていた問題を解決しようとするものであり、容器の中身についての説明としての字をうきださせたようなものや、ほったようにへこましたものをつくり、いろいろな所につけることをもくてきとする。
【課題を解決するための手段】
【０００５】  そして、本発明は上記目的を達成するためにシャンプーであればシャンプーの字をリンスであればリンスの字を洗剤であれば洗剤の字をその他のものであればその他の目的と用途に応じた中身の説明の字をつくりつけるようにできるようにする。又、字の数は、さまざまな数にできるようにする。
【発明の効果】
【０００６】  上述のように本発明の容器に中身の説明をした字をつけることにより、すぐになかみにどういったものがはいっているのかわかり、子供や老人や視力が弱い人などがすぐ理解しやすくなり、又、手でさわるなどして確認的なことができるようになった。
【実施例】
【０００７】  本発明は、シャンプーやリンスや洗剤などや、その他のものについてのものを購入するときなどに、商品の中身の説明の字を確認してそのものがどういったものの商品か、簡単に確認しながら購入できるようにする。
【産業上の利用可能性】
【０００８】  上述したように本発明のさまざまな容器の本体にそのものの中身の説明の字をつけることにより、消費者が確認しながらかううえであたらしく字がさまざまなおおきさやかたちにより、容器についていることにより、いままでになかった新しいものとして認識しながらも、安心して購入できるようになり、消費者の声にこたえるものを提供できるようになった。
【図面の簡単な説明】
【０００９】
【図１】  発明したさまざまな目的や用途のシャンプーやその他の容器の平面図である。
【図２】  発明したさまざまな目的や用途のリンスやその他の容器の平面図である。
【図３】  発明したさまざまな洗剤やその他の容器の平面図である。
【図４】  発明したさまざまな洗剤やその他の容器の平面図である。
【図５】  発明したさまざまな洗剤やその他の容器の平面図であるる
【図６】  発明したさまざまな洗剤やその他の容器の平面図である。
【図７】  発明したさまざまな洗剤やその他の容器の平面図である。
【図８】  発明したさまざまな洗剤やその他の容器の平面図である。
【図９】  発明したさまざまな食品や飲料水その他の容器の平面図である。
【図１０】  発明したさまざまな食品やその他の容器の平面図である。
【符号の説明】
【０００１０】  １    字をつけた容器
２    字をつけた容器
３    字をつけた容器
４    字をつけた容器
５    字をつけた容器
６    字をつけた容器
７    字をつけた容器
８    字をつけた容器
９    字をつけた容器
１０  字をつけた容器
【図１】
2006001645.tif 000003
【図２】
2006001645.tif 000004
【図３】
2006001645.tif 000005
【図４】
2006001645.tif 000006
【図５】
2006001645.tif 000007
【図６】
2006001645.tif 000008
【図７】
2006001645.tif 000009
【図８】
2006001645.tif 000010
【図９】
2006001645.tif 000011
【図１０】
2006001645.tif 000012